(57)【要約】【課題】１つの同報配信サービスに含まれる独立配信可能なデータ要素であるコンポーネント単位の送信周波数情報をユーザ端末に提供し、ユーザ端末においてコンポーネント単位の受信設定を可能とする。【解決手段】データ送信装置が、同報配信サービスの構成データであり、ユーザ端末に独立配信可能なデータ要素であるコンポーネント単位、例えば特定解像度の画像データや特定言語の音声データや字幕データ等のコンポーネント単位の送信周波数情報を記録したメタデータをユーザ端末に送信する。受信装置であるユーザ端末は、データ送信装置から受信したメタデータに記録されたコンポーネント単位の送信周波数情報を適用して、受信予定のコンポーネントの受信を可能とするための受信周波数の設定処理を実行する。【選択図】図１０
2015133615.tif 000002
【特許請求の範囲】
【請求項１】
同報配信サービスの構成データであり、ユーザ端末に独立配信可能なデータ要素であるコンポーネント単位の送信周波数情報を記録したメタデータを生成、または記憶部から取得するデータ処理部と、
前記メタデータをユーザ端末に送信する通信部を有する通信装置。
【請求項２】
前記コンポーネントは、１つの同報配信サービスに含まれる独立配信可能なデータ要素であり、
前記メタデータは、１つの同報配信サービスに含まれる全てのコンポーネント各々に対応する送信周波数情報を記録した構成である請求項１に記載の通信装置。
【請求項３】
前記データ処理部は、
前記コンポーネント単位の送信周波数情報に加え、コンポーネント単位のアクセス情報と、コンポーネント単位の送信エリア情報を記録したメタデータを、前記通信部を介してユーザ端末に送信する請求項１に記載の通信装置。
【請求項４】
前記データ処理部は、
１つの同報配信サービスに含まれる独立配信可能なデータ要素であるコンポーネントを異なる送信周波数で送信する通信制御を実行し、
前記メタデータは、コンポーネントの送信周波数情報として、前記異なる送信周波数が記録された構成である請求項１に記載の通信装置。
【請求項５】
前記通信装置は、
前記メタデータを格納した記憶部を有し、
前記データ処理部は、ユーザ端末からの要求に応じて前記メタデータを記憶部から読み出して前記通信部を介して前記ユーザ端末に送信する請求項１に記載の通信装置。
【請求項６】
前記データ処理部は、
コンポーネント単位で選択された基地局を介して、特定のコンポーネントを特定エリアにのみ、コンポーネント対応の送信周波数で送信する通信制御を実行する請求項１に記載の通信装置。
【請求項７】
前記データ処理部は、映像データ、音声データ、字幕データの少なくともいずれかを含むコンテンツの同報配信サービスを実行し、
前記コンポーネントは、前記コンテンツの同報配信サービスを構成するデータ要素である映像データ、または特定言語の音声データ、または特定言語の字幕データのいずれかである請求項１に記載の通信装置。
【請求項８】
前記コンポーネントは、異なる解像度の画像再生を実現する異なる符号化画像データを含む請求項１に記載の通信装置。
【請求項９】
同報配信サービスの構成データであり、ユーザ端末に独立配信可能なデータ要素であるコンポーネント単位の送信周波数情報を記録したメタデータをデータ送信装置から受信する通信部と、
前記メタデータを適用した処理を実行するデータ処理部を有する通信装置。
【請求項１０】
前記データ処理部は、
前記メタデータに記録されたコンポーネント単位の送信周波数情報を適用して、該コンポーネントの受信を可能とするための受信周波数の設定を実行する請求項９に記載の通信装置。
【請求項１１】
前記コンポーネントは、１つの同報配信サービスに含まれる独立配信可能なデータ要素であり、
前記メタデータは、１つの同報配信サービスに含まれる全てのコンポーネント各々に対応する送信周波数情報を記録した構成である請求項９に記載の通信装置。
【請求項１２】
前記通信部は、
前記コンポーネント単位の送信周波数情報に加え、コンポーネント単位のアクセス情報と、コンポーネント単位の送信エリア情報を記録したメタデータを前記データ送信装置から受信する請求項９に記載の通信装置。
【請求項１３】
前記データ処理部は、
前記メタデータに記録された複数のコンポーネントの異なる送信周波数情報を適用して、複数のコンポーネントの受信を可能とするための受信周波数の設定を実行し、
１つの同報配信サービスに含まれる独立配信可能なデータ要素であるコンポーネントを異なる送信周波数で受信する通信制御を実行する請求項９に記載の通信装置。
【請求項１４】
前記通信部は、コンポーネント単位で選択された基地局を介してコンポーネント対応の送信周波数で送信されるコンポーネントの受信処理を実行する請求項９に記載の通信装置。
【請求項１５】
前記コンポーネントは、コンテンツの同報配信サービスを構成するデータ要素である映像データ、または特定言語の音声データ、または特定言語の字幕データのいずれかである請求項９に記載の通信装置。
【請求項１６】
前記コンポーネントは、異なる解像度の画像再生を実現する異なる符号化画像データを含む請求項９に記載の通信装置。
【請求項１７】
データ送信装置において実行する通信制御データ送信方法であり、
データ処理部が、同報配信サービスの構成データであり、ユーザ端末に独立配信可能なデータ要素であるコンポーネント単位の送信周波数情報を記録したメタデータを生成、または記憶部から取得し、
通信部が、前記メタデータをユーザ端末に送信する通信制御データ送信方法。
【請求項１８】
データ受信装置において実行する通信制御データ受信方法あり、
通信部が、同報配信サービスの構成データであり、ユーザ端末に独立配信可能なデータ要素であるコンポーネント単位の送信周波数情報を記録したメタデータをデータ送信装置から受信し、
データ処理部が、前記メタデータを適用した処理を実行する通信制御データ受信方法。
【発明の詳細な説明】
【技術分野】
【０００１】
本開示は、通信装置、通信制御データ送信方法、および通信制御データ受信方法に関する。具体的には、例えば様々なデータを一斉配信する同報通信処理において、各ユーザ端末で確実に配信データを受信可能とする通信装置、通信制御データ送信方法、および通信制御データ受信方法に関する。
【背景技術】
【０００２】
国際標準仕様策定団体である３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）において規格策定された移動通信システムの無線アクセス方式としてＬＴＥ（Ｌｏｎｇ  Ｔｅｒｍ  Ｅｖｏｌｕｔｉｏｎ）がある。
【０００３】
ＬＴＥは、ＦＤＤ（Ｆｒｅｑｕｅｎｃｙ  Ｄｉｖｉｓｉｏｎ  Ｄｕｐｌｅｘ）とＴＤＤ（Ｔｉｍｅ  Ｄｉｖｉｓｉｏｎ  Ｄｕｐｌｅｘ）の２通りの通信方式が選択適用できる通信方式である。ＦＤＤは、ユーザ端末（ＵＥ：Ｕｓｅｒ  Ｅｑｕｉｐｍｅｎｔ）からＬＴＥの基地局（ｅＮｏｄｅＢ：ｅｖｏｌｖｅｄ  Ｎｏｄｅ  Ｂ）への通信であるアップリンク専用の周波数帯域と、基地局からユーザ端末（ＵＥ）への通信であるダウンリンク専用の周波数帯域を個別に設定した通信方式である。ＴＤＤは、ユーザ端末からの基地局の通信と基地局からユーザ端末への通信を時分割で実行する方式である。なお、ＬＴＥによる通信方式を開示した従来技術として、例えば特許文献１（特開２０１３−８５０８６号公報）がある。
【０００４】
ＬＴＥの特徴的な機能の１つにＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）がある。
ＭＢＭＳは、同報型配信サービスであり、特定のエリア内に位置する複数のユーザ端末（ＵＥ）に対して共通のベアラで一斉に同一データ、例えば映画コンテンツなどを配信するサービスである。ＭＢＭＳに従った同報配信により、配信サービス提供エリアに位置する多数のスマホなどのユーザ端末に、同じコンテンツを同時に提供することができる。
【先行技術文献】
【特許文献】
【０００５】
【特許文献１】特開２０１３−８５０８６号公報
【発明の概要】
【発明が解決しようとする課題】
【０００６】
上述した同報型配信サービスであるＭＢＭＳをＬＴＥで効率的に実現させる方式としてｅＭＢＭＳ（ｅｖｏｌｖｅｄ  Ｍｕｌｔｉｍｅｄｉａ  Ｂｒｏａｄｃａｓｔ  Ｍｕｌｔｉｃａｓｔ  Ｓｅｒｖｉｃｅ）がある。
このｅＭＢＭＳについては、現在、３ＧＰＰで具体的仕様が策定されているが、現行の仕様では、１つの番組など、１つのサービス単位で周波数帯域や配信エリアをユーザ端末（ＵＥ）に通知する設定としている。
【０００７】
しかし、１つのサービスに含まれる複数の配信データ要素（コンポーネント）単位の送信周波数帯域については、ユーザ端末（ＵＥ）に通知する設定となっていない。
例えばｅＭＢＭＳに従って提供する１つのサービスを映画コンテンツ提供サービスとした場合、このサービスにおいて配信されるデータ要素であるコンポーネントとして、映像、日本語音声、英語音声、韓国語音声などがある。
現行の３ＧＰＰの仕様書は、これら各コンポーネント単位の送信周波数帯域についてユーザ端末（ＵＥ）に通知する処理を規定していないい。
【０００８】
従って、１つのサービス内に異なる周波数で送信されるコンポーネントが混在する場合、ユーザ端末は各コンポーネントの周波数を個別に把握することができず、各コンポーネントの受信に必要な設定を行うことができないといった事態が発生する可能性がある。例えば日本語音声と、韓国語音声とで送信周波数が異なる場合などには、一方の音声のみしか受信できないといった場合が発生する可能性がある。
【０００９】
本開示は、例えば、上記のような問題点を解決するものであり、１つのサービスの構成要素であるコンポーネント単位で周波数帯域やサービス提供エリアをユーザ端末（ＵＥ）に通知し、ユーザ端末側において利用可能なコンポーネントを確実に受信可能とした通信装置、通信制御データ送信方法、および通信制御データ受信方法を提供することを目的とする。
【課題を解決するための手段】
【００１０】
本開示の第１の側面は、
同報配信サービスの構成データであり、ユーザ端末に独立配信可能なデータ要素であるコンポーネント単位の送信周波数情報を記録したメタデータを生成、または記憶部から取得するデータ処理部と、
前記メタデータをユーザ端末に送信する通信部を有する通信装置にある。
【００１１】
さらに、本開示の通信装置の一実施態様において、前記コンポーネントは、１つの同報配信サービスに含まれる独立配信可能なデータ要素であり、前記メタデータは、１つの同報配信サービスに含まれる全てのコンポーネント各々に対応する送信周波数情報を記録した構成である。
【００１２】
さらに、本開示の通信装置の一実施態様において、前記データ処理部は、前記コンポーネント単位の送信周波数情報に加え、コンポーネント単位のアクセス情報と、コンポーネント単位の送信エリア情報を記録したメタデータを、前記通信部を介してユーザ端末に送信する。
【００１３】
さらに、本開示の通信装置の一実施態様において、前記データ処理部は、１つの同報配信サービスに含まれる独立配信可能なデータ要素であるコンポーネントを異なる送信周波数で送信する通信制御を実行し、前記メタデータは、コンポーネントの送信周波数情報として、前記異なる送信周波数が記録された構成である。
【００１４】
さらに、本開示の通信装置の一実施態様において、前記通信装置は、前記メタデータを格納した記憶部を有し、前記データ処理部は、ユーザ端末からの要求に応じて前記メタデータを記憶部から読み出して前記通信部を介して前記ユーザ端末に送信する。
【００１５】
さらに、本開示の通信装置の一実施態様において、前記データ処理部は、コンポーネント単位で選択された基地局を介して、特定のコンポーネントを特定エリアにのみ、コンポーネント対応の送信周波数で送信する通信制御を実行する。
【００１６】
さらに、本開示の通信装置の一実施態様において、前記データ処理部は、映像データ、音声データ、字幕データの少なくともいずれかを含むコンテンツの同報配信サービスを実行し、前記コンポーネントは、前記コンテンツの同報配信サービスを構成するデータ要素である映像データ、または特定言語の音声データ、または特定言語の字幕データのいずれかである。
【００１７】
さらに、本開示の通信装置の一実施態様において、前記コンポーネントは、異なる解像度の画像再生を実現する異なる符号化画像データを含む。
【００１８】
さらに、本開示の第２の側面は、
同報配信サービスの構成データであり、ユーザ端末に独立配信可能なデータ要素であるコンポーネント単位の送信周波数情報を記録したメタデータをデータ送信装置から受信する通信部と、
前記メタデータを適用した処理を実行するデータ処理部を有する通信装置にある。
【００１９】
さらに、本開示の通信装置の一実施態様において、前記データ処理部は、前記メタデータに記録されたコンポーネント単位の送信周波数情報を適用して、該コンポーネントの受信を可能とするための受信周波数の設定を実行する。
【００２０】
さらに、本開示の通信装置の一実施態様において、前記コンポーネントは、１つの同報配信サービスに含まれる独立配信可能なデータ要素であり、前記メタデータは、１つの同報配信サービスに含まれる全てのコンポーネント各々に対応する送信周波数情報を記録した構成である。
【００２１】
さらに、本開示の通信装置の一実施態様において、前記通信部は、前記コンポーネント単位の送信周波数情報に加え、コンポーネント単位のアクセス情報と、コンポーネント単位の送信エリア情報を記録したメタデータを前記データ送信装置から受信する。
【００２２】
さらに、本開示の通信装置の一実施態様において、前記データ処理部は、前記メタデータに記録された複数のコンポーネントの異なる送信周波数情報を適用して、複数のコンポーネントの受信を可能とするための受信周波数の設定を実行し、１つの同報配信サービスに含まれる独立配信可能なデータ要素であるコンポーネントを異なる送信周波数で受信する通信制御を実行する。
【００２３】
さらに、本開示の通信装置の一実施態様において、前記通信部は、コンポーネント単位で選択された基地局を介してコンポーネント対応の送信周波数で送信されるコンポーネントの受信処理を実行する。
【００２４】
さらに、本開示の通信装置の一実施態様において、前記コンポーネントは、コンテンツの同報配信サービスを構成するデータ要素である映像データ、または特定言語の音声データ、または特定言語の字幕データのいずれかである。
【００２５】
さらに、本開示の通信装置の一実施態様において、前記コンポーネントは、異なる解像度の画像再生を実現する異なる符号化画像データを含む。
【００２６】
さらに、本開示の第３の側面は、
データ送信装置において実行する通信制御データ送信方法であり、
データ処理部が、同報配信サービスの構成データであり、ユーザ端末に独立配信可能なデータ要素であるコンポーネント単位の送信周波数情報を記録したメタデータを生成、または記憶部から取得し、
通信部が、前記メタデータをユーザ端末に送信する通信制御データ送信方法にある。
【００２７】
さらに、本開示の第４の側面は、
データ受信装置において実行する通信制御データ受信方法あり、
通信部が、同報配信サービスの構成データであり、ユーザ端末に独立配信可能なデータ要素であるコンポーネント単位の送信周波数情報を記録したメタデータをデータ送信装置から受信し、
データ処理部が、前記メタデータを適用した処理を実行する通信制御データ受信方法にある。
【００２８】
本開示のさらに他の目的、特徴や利点は、後述する本開示の実施例や添付する図面に基づくより詳細な説明によって明らかになるであろう。なお、本明細書においてシステムとは、複数の装置の論理的集合構成であり、各構成の装置が同一筐体内にあるものには限らない。
【発明の効果】
【００２９】
本開示の一実施例の構成によれば、１つの同報配信サービスに含まれるデータ要素であるコンポーネント単位の送信周波数情報をユーザ端末に提供する。ユーザ端末はコンポーネント対応の受信設定が可能となり、確実に各コンポーネントを受信できる構成が実現される。
具体的には、データ送信装置が、同報配信サービスの構成データであり、ユーザ端末に独立配信可能なデータ要素であるコンポーネント単位、例えば特定解像度の画像データや特定言語の音声データや字幕データ等のコンポーネント単位の送信周波数情報を記録したメタデータをユーザ端末に送信する。受信装置であるユーザ端末は、データ送信装置から受信したメタデータに記録されたコンポーネント単位の送信周波数情報を適用して、受信予定のコンポーネントの受信を可能とするための受信周波数の設定処理を実行する。
本構成により、１つの同報配信サービスに含まれるデータ要素であるコンポーネント単位の送信周波数情報をユーザ端末に提供する。ユーザ端末はコンポーネント対応の受信設定が可能となり、確実に各コンポーネントを受信できる構成が実現される。
なお、本明細書に記載された効果はあくまで例示であって限定されるものではなく、また付加的な効果があってもよい。
【図面の簡単な説明】
【００３０】
【図１】本開示の処理を実行する通信システムの一構成例について説明する図である。
【図２】マクロセルと、スモールセルを設定したコンポーネント送信処理例について説明する図である。
【図３】データ送信装置とユーザ端末間の通信シーケンスの例について説明する図である。
【図４】データ送信装置がユーザ端末に提供するメタデータのデータ構造例について説明する図である。
【図５】データ送信装置がユーザ端末に提供するメタデータのデータ構造例について説明する図である。
【図６】データ送信装置がユーザ端末に提供するメタデータのデータ構造例について説明する図である。
【図７】データ送信装置がユーザ端末に提供するメタデータの一例について説明する図である。
【図８】データ送信装置がユーザ端末に提供するメタデータの一例について説明する図である。
【図９】データ送信装置が記憶部に保持するメタデータのディレクトリ構成例について説明する図である。
【図１０】データ送信装置とユーザ端末間の通信シーケンスの例について説明する図である。
【図１１】各装置の構成例について説明する図である。
【図１２】各装置の処理レイヤの構成例について説明する図である。
【図１３】基地局の実行するデータ送信処理について説明する図である。
【図１４】基地局の実行するデータ送信処理について説明する図である。
【図１５】基地局の実行するデータ送信処理について説明する図である。
【図１６】通信装置のハードウェア構成例について説明する図である。
【発明を実施するための形態】
【００３１】
以下、図面を参照しながら本開示の通信装置、通信制御データ送信方法、および通信制御データ受信方法の詳細について説明する。なお、説明は以下の項目に従って行なう。
１．通信システムの構成例について
２．現行仕様に従ってユーザ端末が取得可能なメタデータを利用した処理例について
３．コンポーネント単位の送信周波数を通知する本開示の処理例について
４．通信装置の構成と処理について
５．各装置のハードウェア構成例について
６．本開示の構成のまとめ
【００３２】
［１．通信システムの構成例について］
まず、図１を参照して本開示の処理を実行する通信システムの一構成例について説明する。
図１に示すように、通信システム１０は、画像データや音声データ等のコンテンツを送信する通信装置であるデータ送信装置１２と、データ送信装置１２の送信コンテンツを受信する通信装置であるユーザ端末２０−１〜ｋを有する。
データ送信装置１２と、ユーザ端末２０間の通信は、基地局１３を介して実行される。
データ送信装置１２は、例えばコンテンツプロバイダ１１から提供された映画等のコンテンツを複数の基地局１３を介してユーザ端末２０に送信する。
【００３３】
図１に示す通信システム１０は、移動通信システムの無線アクセス方式であるＬＴＥ（Ｌｏｎｇ  Ｔｅｒｍ  Ｅｖｏｌｕｔｉｏｎ）に従った通信処理を実行する。
なお、ＬＴＥは、前述したように国際標準仕様策定団体である３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）において規格策定された移動通信システムの無線アクセス方式である。
【００３４】
図１に示す通信システム１０のデータ送信装置１２は、複数のＬＴＥの基地局（ｅＮｏｄｅＢ：ｅｖｏｌｖｅｄ  Ｎｏｄｅ  Ｂ）１３ａ〜１３ｎを介して特定のエリア内の複数のユーザ端末（ＵＥ）２０−１〜ｋに対して共通のデータ、例えば映画コンテンツなどを一斉に送信する。
具体的には、ｅＭＢＭＳ（ｅｖｏｌｖｅｄ  Ｍｕｌｔｉｍｅｄｉａ  Ｂｒｏａｄｃａｓｔ  Ｍｕｌｔｉｃａｓｔ  Ｓｅｒｖｉｃｅ）に従ってデータの同報配信を行う。
【００３５】
ユーザ端末２０−１〜ｋは例えばスマートホンなどの携帯端末である。
データ送信装置１２は、コンテンツプロバイダ１１から提供されるコンテンツ、例えば映画コンテンツなどをパケットに格納し、ｅＭＢＭＳに従って同報配信処理を行なう。
なお、ｅＭＢＭＳについては、前述したように、現在、３ＧＰＰで具体的仕様が策定されている。
【００３６】
コンテンツプロバイダ１１から提供されるコンテンツが、例えば映画コンテンツである場合、その映画コンテンツには、映像、日本語音声、英語音声、日本語字幕等の様々な異なる種類の要素データ（コンポーネント）が含まれる。
以下の説明では、独立して配信可能な異なる種類の要素データからなるデータストリームの各々を「コンポーネント」と呼ぶ。
さらに、１以上のコンポーネントによって構成される番組コンテンツ、ＶｏＤ（Ｖｉｄｅｏ  ｏｎＤｅｍａｎｄ）等によって提供されるコンテンツなど、同報配信サービス対象となるコンポーネントの集合パッケージを「サービス」と呼ぶ。
すなわち、コンポーネントは、１つの同報配信サービスに含まれる独立配信可能なデータ要素である。
【００３７】
なお、データ送信装置１２は、映像、日本語音声、英語音声等のコンポーネント単位でデータを記憶部に格納し、ユーザ端末は、このコンポーネント単位でデータアクセス、例えばコンポーネント単位で規定されたＵＲＩ等のアクセス情報を用いてデータ取得を行うことができる。このように、コンポーネントは、ユーザ端末が個別にアクセス可能なデータの単位である。
ユーザ端末は、まず、受信したい映画等の「サービス」を決定し、その後、そのサービスに含まれるコンポーネントを選択して受信し再生することができる。
【００３８】
サービスは、例えば１つの映画コンテンツ等であり、１つの「サービス」には、複数の独立配信可能なストリームであるコンポーネントが含まれる。
例えば、１つの映画コンテンツである１サービスに含まれるコンポーネントの例として、以下のようなコンポーネントがある。
（ａ）第１コンポーネント＝映像データ
（ｂ）第２コンポーネント＝日本語音声データ
（ｃ）第３コンポーネント＝英語音声データ
（ｄ）第４コンポーネント＝韓国語音声データ
（ｅ）第５コンポーネント＝日本語字幕データ
（ｆ）第６コンポーネント＝英語字幕データ
（ｇ）第７コンポーネント＝韓国語字幕データ
これらのコンポーネントは、データ配信装置１２、あるいはその他のデータ配信サーバに個別に格納され、ユーザ端末２０は、個別にアクセスして取得することが可能である。すなわち、各コンポーネントは、個別のストリームとしてユーザ端末に配信可能なデータである。
【００３９】
なお、上記（ａ）に第１コンポーネントとして示す映像データについては、例えばＨＤ画像データ、４Ｋ画像データ等、複数の異なる解像度を持つ画像データとして分離して配信することも可能であり、このような場合は、これらの複数の画像データも異なるコンポーネントとして設定し、個別ストリームとしてユーザ端末に提供することができる。
【００４０】
また、送信画像を低解像度画像の再生のみが可能なベースレイヤ画像と、ベースレイヤ画像に追加することで高解像度画像を再生可能とするエンハンスメントレイヤ画像に区分し、これらの各レイヤ画像を個別のストリームとしてユーザ端末に提供することも可能であり、このような設定では、ベースレイヤ画像データと、エンハンスメントレイヤ画像を異なるコンポーネントとして設定する。
【００４１】
さらに、例えば上記の（ａ）映像データと、（ｂ）日本語音声データを１つのデータストリームとして配信することも可能であり、この場合は、（ａ）映像データと、（ｂ）日本語音声データは１つのコンポーネントとして設定される。
この場合は、ユーザ端末２０側で、受信ストリームから映像データと音声データを分離する処理を実行して再生を行なう。
なお、上述したコンポーネントの設定例は一例であり、各サービスに応じて様々なコンポーネントの設定が可能である。
【００４２】
複数のコンポーネントによって構成されるサービスをユーザ端末に提供する場合のサービス提供処理例について、図２を参照して説明する。
図１に示すデータ送信装置１２の出力したデータ格納パケットは、複数の異なる位置に設置された基地局１３を介してユーザ端末２０に送信される。
【００４３】
データ送信装置１２は、コンポーネント単位で、データ送信を行う出力周波数を決定し、かつデータ送信を行う基地局を選択して設定することができる。
【００４４】
各基地局１３のデータ送信範囲をセルとする。図２には、５つの基地局１３ａ，１３ｂ，１３ｃ，１３ｐ，１３ｑを示している。なお、これら図に示す基地局は、代表的な基地局をサンプル的に示しているものであり、実際には、例えば図２に示すマクロセル５１内には、数１０〜数１００の多数の基地局が存在する。
【００４５】
図２に示すマクロセル５１は、複数の基地局によって構成される複数のセルの集合である。また、マクロセル５１内の一部の基地局によって構成されるセルの集合をスモールセルとする。
図２に示す例では、例えば基地局１３ｐ等によって設定されるセルの集合を第１スモールセル６１、基地局１３ｑ等にによって設定されるセルの集合を第２スモールセル６２として示している。
【００４６】
なお、マクロセル、スモールセルは、いずれもある特定のコンポーネントの配信エリア（配信領域）に対応する。これらの配信エリアは、例えば各基地局対応のセルの識別子のリストによって規定される。
具体的には、図に示すマクロセル５１はエリア１１１〜１９９、第１スモールセル６１は、エリア１３１〜１３９、第２スモールセル６２はエリア１６１〜１６９である。これらのエリア領域情報（エリア番号）は基地局、または基地局対応セルの識別子のリストに対応する。
【００４７】
データ送信装置１２は、マクロセル５１内の基地局をデータ出力基地局として、以下の２つのコンポーネントを送信する。
（１）ベースレイヤ映像データ
（２）日本語音声データ
【００４８】
なお、映像データは、ベースレイヤ映像とエンハンスメントレイヤ映像によって構成され、ベースレイヤ映像のみを利用した再生では、低解像度の画像の再生が可能となる。ベースレイヤ映像とエンハンスメントレイヤ映像を組み合わせて利用した再生を行なうと高解像度の高画質画像の再生が可能となる。
【００４９】
データ送信装置１２は、
（１）ベースレイヤ映像データ
（２）日本語音声データ
これら２つのコンポーネントを、送信周波数８００ＭＨｚでマクロセル５１（エリア１１１〜１９９）内の基地局を介して配信する。なお、マクロセル５１は２つのスモールセル６１，６２も含み、図に示す基地局１３ａ，１３ｂ，１３４ｃ，１３ｐ，１３ｑの全ての基地局から上記の２つのコンポーネントが送信される。
【００５０】
すなわち、データ送信装置１２は、マクロセル５１をデータ配信領域として以下の設定でデータ送信制御を実行する。
（Ａ）送信コンポーネント
（１）ベースレイヤ映像データ
（２）日本語音声データ
（Ｂ）送信エリア＝マクロセル５１（エリア１１１〜１９９）
（Ｃ）送信周波数＝８００ＭＨｚ
マクロセル５１内のユーザ端末は、（１）ベースレイヤ映像データと、（２）日本語音声データ、これらの２つのコンポーネントを格納したデータストリームを受信して再生することが可能となる。
【００５１】
さらに、データ送信装置１２は、スモールセル６１（エリア１３１〜１３９）内の基地局をデータ出力基地局として選択して以下の１つのコンポーネントを送信する。
（３）エンハンスメントレイヤ映像データ
前述したように、エンハンスメントレイヤ映像は、ベースレイヤ映像と組み合わせて利用して再生を行なうことで高解像度の高画質画像の再生が可能となる。
データ送信装置１２は、この１つのコンポーネントを、送信周波数１．５ＧＨｚでスモールセル６１内の基地局（基地局１３ｐ等）を介して配信する。
【００５２】
すなわち、データ送信装置１２は、スモールセル６１をデータ配信領域として以下の設定でデータ送信制御を実行する。
（Ａ）送信コンポーネント
（３）エンハンスメントレイヤ映像データ
（Ｂ）送信エリア＝スモールセル６１（エリア１３１〜１３９）
（Ｃ）送信周波数＝１．５ＧＨｚ
【００５３】
なお、スモールセル６１は、マクロセル５１内に含まれるので、スモールセル６１のユーザ端末は、（１）ベースレイヤ映像データと、（２）日本語音声データ、これらの２つのコンポーネントに加え、さらに、（３）エンハンスメントレイヤ映像データを受信して再生することが可能となる。すなわち、スモールセル６１内のユーザ端末は、ベースレイヤ映像データとエンハンスメントレイヤ映像データを組み合わせた画像再生処理が可能であり、スモールセル６１以外のマクロセル５１内のユーザ端末より、高画質の画像データを再生することができる。
【００５４】
ただし、（１）ベースレイヤ映像データと、（２）日本語音声データの送信周波数は８００ＭＨｚであり、（３）エンハンスメントレイヤ映像データの送信周波数は１．５ＧＨｚであるので、これらのデータ（１），（２），（３）の全てを受信する場合は、ユーザ端末は、２つの異なる送信周波数の送信データを受信可能とする受信設定を行う必要がある。
【００５５】
さらに、データ送信装置１２は、スモールセル６２（エリア１６１〜１６９）内の基地局をデータ出力基地局として選択して以下の１つのコンポーネントを送信する。
（４）韓国語音声データ
データ送信装置１２は、この１つのコンポーネントを、送信周波数１．５ＧＨｚでスモールセル６２内の基地局（基地局１３ｑ等）を介して配信する。
すなわち、データ送信装置１２は、スモールセル６２をデータ配信領域として以下の設定でデータ送信制御を実行する。
（Ａ）送信コンポーネント
（４）韓国語音声データ
（Ｂ）送信エリア＝スモールセル６２（エリア１６１〜１６９）
（Ｃ）送信周波数＝１．５ＧＨｚ
【００５６】
スモールセル６２は、マクロセル５１内に含まれるので、スモールセル６２のユーザ端末は、（１）ベースレイヤ映像データと、（２）日本語音声データ、これらの２つのコンポーネントに加え、さらに、（４）韓国語音声データを受信して再生することが可能となる。
ただし、（１）ベースレイヤ映像データと、（２）日本語音声データの送信周波数は８００ＭＨｚであり、（４）韓国語音声データの送信周波数は１．５ＧＨｚであるので、これらのデータ（１），（２），（４）の全て、あるいはデータ（１），（４）の両者を受信する場合は、ユーザ端末は、２つの異なる送信周波数の送信データを受信可能とする受信設定を行う必要がある。
【００５７】
［２．現行仕様に従ってユーザ端末が取得可能なメタデータを利用した処理例について］
図１、図２を参照して説明したように、データ送信装置１２は、
特定のコンポーネントを、
特定の基地局を介して、
特定の周波数で、
送信するデータ送信制御を行う。
【００５８】
このようなデータ送信制御によって、特定のコンポーネントを特定の限定された領域に位置するユーザ端末２０にのみ提供することが可能となる。
図２を参照して説明した処理は、同報型配信サービスであるＭＢＭＳをＬＴＥで効率的に実現させる方式であるｅＭＢＭＳ（ｅｖｏｌｖｅｄ  Ｍｕｌｔｉｍｅｄｉａ  Ｂｒｏａｄｃａｓｔ  Ｍｕｌｔｉｃａｓｔ  Ｓｅｒｖｉｃｅ）に従って実行することができる。前述したように、ｅＭＢＭＳについては、現在、３ＧＰＰで具体的仕様が策定されているが、現行の仕様では、１つの番組など、１つのサービス単位で周波数帯域や配信エリアをユーザ端末（ＵＥ）に通知する設定としている。
【００５９】
すなわち、１つのサービスに含まれる複数のコンポーネント、例えば映画コンテンツを構成する要素である映像、日本語音声、英語音声、韓国語音声などの各コンポーネント単位の送信周波数帯域については、ユーザ端末（ＵＥ）に通知する設定となっていない。従って、コンポーネントによって送信周波数が異なる設定、例えば日本語音声と、韓国語音声とで送信周波数が異なる場合などには、一方の音声のみしか受信できないといった場合が発生する。
以下、この問題点について、具体的に説明する。
【００６０】
ｅＭＢＭＳに従ったデータ配信規格を定めた仕様書であり、３ＧＰＰが２０１３年１２月に開示した仕様書（３ＧＰＰ  ＴＳ２６．３４６Ｖ１２．００）に従ってデータの同報配信を実行した場合の処理シーケンスの概略について、図３を参照して説明する。
【００６１】
図３には、様々なコンポーネントを、選択基地局を介して同報配信処理を行なうデータ送信装置１２と、データ送信装置１２の送信する同報配信データを受信するユーザ端末２０との間で実行される通信シーケンスを示している。
なお、データ送信装置１２とユーザ端末２０間の通信は、図１を参照して説明したように、基地局１３を介して実行されるが、図３のシーケンス図では基地局１３は省略して示している。
【００６２】
なお、ユーザ端末２０は、データ送信装置１２から、データ送信装置１２が提供可能なサービス情報、例えば番組表等の提供可能なコンテンツリストを受信済みであるものとする。図３に示すシーケンスは、ユーザ端末２０を操作するユーザが、受信済みのコンテンツリストから特定のサービス（番組等のコンテンツ）を選択する入力がなされた後のシーケンスである。以下、図３に示す各ステップの処理について、順次、説明する。
【００６３】
（ステップＳ１１）
ユーザ端末２０は、ユーザの入力したサービス選択情報（例えば番組や映画名の選択情報）に応じて、そのサービスに対応するメタデータをデータ送信装置１２に要求する。
データ送信装置１２は、データ送信装置１２の提供するサービスに応じたメタデータを記憶部に格納しており、ユーザ端末２０からの要求に応じてメタデータをユーザ端末２０に提供する。
【００６４】
（ステップＳ１２）
ユーザ端末２０から、ユーザによって選択されたサービスに対応するメタデータの要求を受信したデータ送信装置１２は、ユーザ端末２０に対して選択サービス対応のメタデータを送信する。
このメタデータはＵＳＤ（Ｕｓｅｒ  Ｓｅｒｖｉｃｅ  Ｄｅｓｃｒｉｐｔｉｏｎ）と呼ばれるＸＭＬデータである。
【００６５】
なお、図３に示すシーケンス図では、ユーザ端末２０に対するメタデータの提供処理をユーザ端末からのサービス単位のメタデータ要求に応じて、データ送信装置１２が行うシーケンスを示しているが、メタデータの提供は、このようなユーザ端末からのサービス単位のリクエストベースの処理に限定されるものではない。
例えば、各サービスのメタデータを複数のサービスのリストである番組表等のコンテンツリストに含めてユーザ端末２０に予め提供する構成としてもよい。この場合、ユーザ端末は番組表から特定番組（サービス）を選択することで、その番組に対応するメタデータを閲覧することが可能となる。
【００６６】
ユーザ端末２０に提供されるメタデータであるＵＳＤの一例について、図４、図５を参照して説明する。
図４、図５に示すＵＳＤは、３ＧＰＰが２０１３年１２月に開示した仕様書（３ＧＰＰ  ＴＳ２６．３４６Ｖ１２．００）に記載されたＵＳＤ（Ｕｓｅｒ  Ｓｅｒｖｉｃｅ  Ｄｅｓｃｒｉｐｔｉｏｎ）のＸＭＬデータ構造の定義の一部である。
図４は、ＭＢＭＳユーザサービスに付随するメタデータ、ａｖａｉｌａｂｉｌｉｔｙＩｎｆｏ要素の定義、
図５は、ＭＢＭＳユーザサービスに付随するメタデータ、ｂｒｏａｄｃａｓｔＡｐｐＳｅｒｖｉｃｅ要素の定義、
である。
【００６７】
なお、前述したように、サービスは、ｅＭＢＭＳによって複数のユーザ端末（ＵＥ）に同報配信される映画コンテンツや、テレビ番組、ＶｏＤ（Ｖｉｄｅｏ  ｏｎＤｅｍａｎｄ）等によって提供されるコンテンツであり、複数のコンポーネントによって構成される。
例えば、１つの「サービス」は、１つの映画コンテンツ等であり、１つの「サービス」には、複数の個別アクセスおよび個別配信可能なストリームであるコンポーネントが含まれる場合がある。
例えば、コンポーネントには、
特定解像度の映像データ、
特定言語の音声データ、
特定言語の字幕データ、
これらの各データなどが含まれる。
【００６８】
図４に示すサービス単位のメタデータには、そのサービス（例えばある番組コンテンツ）を送信する領域を示す［サービス送信エリア情報］と、そのサービスの送信周波数帯域を示す［サービス送信周波数情報］が含まれる。
【００６９】
一方、図５に示すコンポーネント単位のメタデータには、そのコンポーネントのアクセス情報、例えばＵＲＩ等の［コンポーネントアクセス情報］と、そのコンポーネントを送信する領域を示す［コンポーネント送信エリア情報］が含まれる。
【００７０】
これら図４、図５に示すＸＭＬデータによって構成されるメタデータを受領したユーザ端末は、このメタデータを解析して、所望のコンポーネントを取得するために［コンポーネントアクセス情報］に従って必要なコンポーネントを取得することができる。
【００７１】
しかし、図５に示すコンポーネント単位のメタデータには、コンポーネントの送信周波数情報の記述はない。
送信周波数情報は、図４に示すサービス単位の送信周波数情報として記述されているのみであり、コンポーネント単位の送信周波数情報はメタデータには記述されていない。
従って、ユーザ端末２０は、特定周波数でのみ送信されるコンポーネントの受信設定を行うことができない。
【００７２】
図４に示すサービス単位のメタデータに送信周波数情報として記述されるのは、例えばサービスに含まれるメインコンポーネント対応の１つの送信周波数となる。
具体的には、例えば図２の設定のマクロセル５１で送信されるメインコンポーネントの送信周波数となる。すなわち、図２に示す例では、
（１）ベースレイヤ映像データ
（２）日本語音声データ
これらのメインコンポーネントの送信周波数である［８００ＭＨｚ］が、図４に示すサービス単位のメタデータの［サービス送信周波数情報］として記述される。
【００７３】
ユーザ端末２０は、図４に示すサービス単位のメタデータに記録されたメインコンポーネントの送信周波数である［８００ＭＨｚ］に応じて、ユーザ端末２０の受信設定を行なうことで、メインコンポーネントの受信を行うことが可能になる。
【００７４】
しかし、例えば、図２に示す第１スモールセル６１に位置するユーザ端末が、第１スモールセル６１においてのみ送信される韓国語音声を受信しようとしても、このコンポーネント（韓国語音声）の送信周波数（１．５ＧＨｚ）情報は、データ送信装置１２の提供するメタデータには記録されていない。従って、ユーザ受信端末２０は、韓国語音声を受信するための受信設定を行うことができなくなってしまうという問題が発生する。
図３に示すシーケンス図に従って、この問題の発生シーケンスについて、さらに説明する。
【００７５】
（ステップＳ１３）
データ送信装置１２からＵＳＤ（図４、図５に示すメタデータ）を受領したユーザ端末２０は、メタデータに記録された情報を解析し、受信を希望するコンポーネントの［コンポーネントアクセス情報］、例えばＵＲＩを利用して、コンポーネントのアクセスを行う。これは、図５に示すコンポーネント単位のメタデータの記録情報を利用して行う。さらに、ユーザ端末２０の設定処理として、メタデータに記録された［サービス送信周波数情報］に従ってユーザ端末２０の通信データの受信設定を行う。
この処理は、図４に示すサービス単位のメタデータの記録情報を利用して行うことになる。
前述したように、この図４に示すメタデータに記録された［サービス送信周波数情報］はそのサービスのメインコンポーネントに対応する１つの周波数帯域情報に過ぎない。
【００７６】
（ステップＳ１４）
ユーザ端末２０は、図５に示すコンポーネント対応のメタデータに記録された［コンポーネントアクセス情報］に従ってアクセスされるコンポーネントの受信を試みる。
この場合、その受信コンポーネントが、そのコンポーネントの属するサービスのメインコンポーネントであり、図４に示すサービス単位のメタデータに記録された［サービス送信周波数情報］に記録された周波数帯域で送信されたデータであれば、ステップＳ１３において設定した受信周波数に一致するので、受信することが可能となる。
【００７７】
しかし、受信コンポーネントが、そのコンポーネントの属するサービスのメインコンポーネントでなく、図４に示すサービス単位のメタデータに記録された［サービス送信周波数情報］に記録された周波数帯域と異なる周波数帯域で送信されている場合、そのコンポーネントの送信周波数は、ステップＳ１３で設定した受信周波数とは異なることになる。この場合、ユーザ端末２０による受信ができなくなる可能性がある。
【００７８】
［３．コンポーネント単位の送信周波数を通知する本開示の処理例について］
次に、上記の問題点を解決する実施例について説明する。
以下に説明する実施例は、コンポーネント単位の送信周波数をユーザ端末に通知する構成とした実施例である。
【００７９】
図６は、本実施例の処理において、データ送信装置１２が、ユーザ端末２０に提供するメタデータ（ＵＳＤ：Ｕｓｅｒ  Ｓｅｒｖｉｃｅ  Ｄｅｓｃｒｉｐｔｉｏｎ）の一部、ｂｒｏａｄｃａｓｔＡｐｐＳｅｒｖｉｃｅ要素のＸＭＬデータ構造の定義である。
本実施例では、先に図５を参照して説明した現行のｂｒｏａｄｃａｓｔＡｐｐＳｅｒｖｉｃｅ要素のＸＭＬデータ構造定義を図６に示すＸＭＬデータ構造定義に置き換える。
【００８０】
図５と図６の相違点は、図５に示すＸＭＬデータ構造定義内の「サービス送信エリア情報（ＳｅｒｖｉｃｅＡｒｅａ）」を、図６に示すＸＭＬ構造定義では、「サービス可用性情報（ａｖａｉｌａｂｉｌｉｔｙＩｎｆｏ）」に置き換えた点である。
図６に示すＸＭＬデータ構造定義内の「サービス可用性情報（ａｖａｉｌａｂｉｌｉｔｙＩｎｆｏ）」を、１つのサービスの構成要素であるコンポーネント単位の送信周波数情報や、コンポーネント送信エリア情報の記録領域として設定する。この図６に示すｂｒｏａｄｃａｓｔＡｐｐＳｅｒｖｉｃｅ要素のＸＭＬデータ構造定義を利用することで、コンポーネント単位の送信周波数情報や、コンポーネント送信エリア情報をユーザ端末２０に通知することが可能になる。
【００８１】
図７、図８は、本実施例の処理において、データ送信装置１２が、ユーザ端末２０に提供するメタデータ（ＵＳＤ：（Ｕｓｅｒ  Ｓｅｒｖｉｃｅ  Ｄｅｓｃｒｉｐｔｉｏｎ）の一部を示すＸＭＬデータ例である。
図７、図８に示すメタデータ（ＵＳＤ）は、先に説明した図２のデータ配信構成の各コンポーネントに対応するメタデータ（ＵＳＤ）の記述例である。
【００８２】
図２の設定は、１つのコンテンツ配信サービスに以下の４つのコンポーネントが含まれる。
（１）第１コンポーネント
送信データ＝ベースレイヤ映像
送信エリア＝マクロセル５１内の全領域
送信周波数＝８００ＭＨｚ
（２）第２コンポーネント
送信データ＝日本語音声
送信エリア＝マクロセル５１内の全領域
送信周波数＝８００ＭＨｚ
（３）第３コンポーネント
送信データ＝エンハンスメントレイヤ映像
送信エリア＝第１スモールセル６１内の領域
送信周波数＝１．５ＧＨｚ
（４）第４コンポーネント
送信データ＝韓国語音声
送信エリア＝第２スモールセル６２内の領域
送信周波数＝１．５ＧＨｚ
【００８３】
図７、図８に示すメタデータ（ＵＳＤ）は、上記の（１）〜（４）のコンポーネント各々について、コンポーネント単位の以下の各情報を記録している。
（ａ）コンポーネントアクセス情報
（ｂ）コンポーネント送信エリア情報
（ｃ）コンポーネント送信周波数情報
【００８４】
ユーザ端末２０は、このようにコンポーネント単位のアクセス情報、送信エリア情報、送信周波数情報を記録したメタデータ（ＵＳＤ）をデータ送信装置１２から受領する。ユーザ端末２０は、受信したいコンポーネントを選択して、選択コンポーネント対応のメタデータ中のコンポーネントアクセス情報（例えばＵＲＩ）を適用してコンポーネントのアクセスを行う。さらに、選択コンポーネント対応のメタデータ中のコンポーネント送信周波数情報を参照して、そのコンポーネントの送信周波数を確認し、確認した周波数のデータ受信を可能とするためのユーザ端末の設定を行う。
【００８５】
図７、図８に示すメタデータ（ＵＳＤ）を参照することで、ユーザ端末は、あるサービスに含まれるコンポーネントの全てについて、アクセス情報と送信エリアのみならず、送信周波数を確認することが可能となる。従って、ユーザ端末はコンポーネントの送信エリア内においては、確実に送信コンポーネントを受信することが可能となる。
【００８６】
図９は、図７、図８を参照して説明したメタデータ、すなわち、データ送信装置１２がユーザ端末２０に提供するサービスに対応して設定されるメタデータであるＵＳＤのデータ構成を説明するディレクトリ図である。
データ送信装置１２は、例えば図９に示すディレクトリ構成を有するメタデータ（ＵＳＤ）を記憶部に格納し、これをユーザ端末に提供する。
【００８７】
図９に示すＵＳＤのディレクトリ構成について説明する。ＵＳＤは、各サービスおよび、サービスに含まれるコンポーネントの情報を記録したメタデータである。このメタデータには、配信対象となるコンポーネントの構成情報や、コンポーネントの配信態様情報（配信メソッド）等が含まれる。
図９に示すディレクトリは、ＵＳＤに含まれる一部の情報である配信態様情報（配信メソッド）に関連するディレクトリである。
【００８８】
図９に示すように、ルート（Ｒｏｏｔ）の下位に１つのサービス対応のＵＳＤディレクトリが設定され、その下位に配信メソッドディレクトリが設定される。
配信メソッドディレクトリの下位には、そのサービスに含まれる各コンポーネント各々に関する配信態様情報の詳細として、各コンポーネント対応の「ブロードキャストアプリサービス」ディレクトリが設定される。
【００８９】
この各コンポーネント対応の「ブロードキャストアプリサービス」ディレクトリ以下に、各コンポーネントのアクセス情報（ｂａｓｅ  ｐａｔｔｅｒｎ）、さらに、送信エリア情報（ｓｅｒｖｉｃｅ  ａｒｅａ）、送信周波数情報（ｒａｄｉｏ  ｆｒｅｑｕｅｎｃｙ）が記録される。
【００９０】
「ブロードキャストアプリサービス」ディレクトリ以下のデータは、各コンポーネント単位で設定される。図９に示す点線矩形枠で囲まれる１つの領域が１つのコンポーネントに対応するメタデータである。
すなわち、例えば、図７〜図８を参照して説明した第１〜第４コンポーネント対応のメタデータのいずれか１つのメタデータに対応する。
【００９１】
図９に示す例では、第１コンポーネント対応メタデータから第ｎコンポーネント対応メタデータまで、ｎ個のコンポーネント各々について、「ブロードキャストアプリサービス」ディレクトリが設定されている。これらの各々に各コンポーネントのアクセス情報（ｂａｓｅ  ｐａｔｔｅｒｎ）、さらに、送信エリア情報（ｓｅｒｖｉｃｅ  ａｒｅａ）、送信周波数情報（ｒａｄｉｏ  ｆｒｅｑｕｅｎｃｙ）が記録されている。
【００９２】
データ送信装置１２は、この図９に示すディレクトリ構成を持つメタデータを記憶部に格納しており、例えばユーザ端末２０からの要求に応じて、このメタデータを取得してユーザ端末２０に提供する。
この結果、ユーザ端末２０は、例えば、先に説明した図７、図８に示すメタデータを取得することが可能となり、各コンポーネント単位のアクセス情報、さらに、送信エリア情報、送信周波数情報を確認することができる。
【００９３】
このようなメタデータを取得可能とした構成におけるデータ送信装置１２とユーザ端末２０との間で実行する通信シーケンスについて図１０を参照して説明する。
図１０は、先に説明した図３と同様、様々なコンポーネントを、選択基地局を介して同報配信処理を行なうデータ送信装置１２と、データ送信装置１２の送信する同報配信データを受信するユーザ端末２０との間で実行される通信シーケンスを示している。
なお、データ送信装置１２とユーザ端末２０間の通信は、図１を参照して説明したように、基地局１３を介して実行されるが、図１０のシーケンス図では基地局１３は省略して示している。
【００９４】
なお、ユーザ端末２０は、データ送信装置１２から、データ送信装置１２が提供可能なサービス情報、例えば番組表等の提供可能なコンテンツリストを受信済みであるものとする。図１０に示すシーケンスは、ユーザ端末２０を操作するユーザが、受信済みのコンテンツリストから特定のサービス（番組等のコンテンツ）を選択する入力がなされた後のシーケンスである。以下、図１０に示す各ステップの処理について、順次、説明する。
【００９５】
（ステップＳ２１）
ユーザ端末２０は、ユーザの入力したサービス選択情報（例えば番組や映画名の選択情報）に応じて、そのサービスに対応するメタデータをデータ送信装置１２に要求する。
データ送信装置１２は、データ送信装置１２の提供するサービスに応じたメタデータ、すなわち図７〜図１０を参照して説明したメタデータ（ＵＳＤ）を記憶部に格納しており、ユーザ端末２０からの要求に応じて、このメタデータをユーザ端末２０に提供する。
【００９６】
（ステップＳ２２）
ユーザ端末２０から、ユーザによって選択されたサービスに対応するメタデータの要求を受信したデータ送信装置１２は、ユーザ端末２０に対して選択サービスに対応するメタデータを送信する。
すなわち、例えば図７、図８に示すコンポーネント単位のアクセス情報、送信エリア情報、送信周波数情報を記録したメタデータ（ＵＳＤ：Ｕｓｅｒ  Ｓｅｒｖｉｃｅ  Ｄｅｓｃｒｉｐｔｉｏｎ）である。
【００９７】
なお、図１０に示すシーケンス図では、ユーザ端末２０に対するメタデータの提供処理をユーザ端末からのサービス単位のメタデータ要求に応じて、データ送信装置１２が行うシーケンスを示しているが、メタデータの提供は、このようなユーザ端末からのサービス単位のリクエストベースの処理に限定されるものではない。
例えば、各サービスのメタデータを複数のサービスのリストである番組表等のコンテンツリストに含めてユーザ端末２０に予め提供する構成としてもよい。この場合、ユーザ端末は番組表から特定番組（サービス）を選択することで、その番組に対応するメタデータを閲覧することが可能となる。
【００９８】
（ステップＳ２３）
データ送信装置１２からＵＳＤ（例えば図７、図８に示すメタデータ）を受領したユーザ端末２０は、メタデータに記録された情報を解析し、受信を希望するコンポーネントの［コンポーネントアクセス情報］を利用して、コンポーネントのアクセスを行う。
さらに、メタデータを参照してコンポーネント単位の送信周波数情報を確認し、選択したコンポーネントの送信周波数データを受信可能な設定とする端末設定処理を実行する。この処理は、例えば図７、図８を参照して説明したメタデータ（ＵＳＤ）に記録されたコンポーネント送信周波数情報に基づいて実行することができる。
【００９９】
（ステップＳ２４）
ユーザ端末２０は、例えば、図７、図８に示すメタデータに記録された［コンポーネントアクセス情報］を適用してコンポーネントに対するアクセスを実行する。
ユーザ端末２０は、図７、図８に示すメタデータに記録された［コンポーネント送信周波数情報］に従って、選択コンポーネントの受信を可能とする受信設定を行っており、選択コンポーネントを確実に受信することが可能となる。
【０１００】
このように、本実施例では、データ送信装置１２から提供されたメタデータにコンポーネント単位の［コンポーネント送信周波数情報］を記録した構成としている。この構成により、ユーザ端末２０は、受信予定のコンポーネントの送信周波数を確認して、ユーザ端末の受信設定を行うことが可能となる。すなわち、ユーザ端末２０がコンポーネントの送信領域内にあれば、確実にそのコンポーネントを受信することが可能となる。
【０１０１】
［４．通信装置の構成と処理について］
次に、図１１以下を参照して本開示の処理を実行する装置の構成と処理について説明する。
【０１０２】
図１１には、データ送信装置１２と、ユーザ端末２０の構成例を示している。
データ送信装置１２は、データ処理部５１、通信部５２、記憶部５３を有する。
ユーザ端末２０は、データ処理部７１、通信部７２、記憶部７３、入出力部７４を有する。
【０１０３】
データ送信装置１２のデータ処理部５１は、同報配信サービスを実行するための各種のデータ処理を実行する。例えば同報配信サービスの構成データの生成や送信制御を行う。さらに、データ処理部５１は、ユーザ端末２０に独立配信可能なデータ要素であるコンポーネント単位の送信周波数情報を記録したメタデータを生成、または記憶部５３から取得して通信部５２を介して送信する。先に図７、図８を参照して説明したメタデータである。
【０１０４】
なお、コンポーネントは、１つの同報配信サービスに含まれる独立配信可能なデータ要素であり、メタデータは、先に図７、図８を参照して説明したように１つの同報配信サービスに含まれる全てのコンポーネント各々に対応する送信周波数情報を記録した構成である。
データ処理部５１は、図７、図８を参照して説明したように、コンポーネント単位の送信周波数情報に加え、コンポーネント単位のアクセス情報と、コンポーネント単位の送信エリア情報を記録したメタデータを、通信部５２を介してユーザ端末２０に送信する。
【０１０５】
また、データ処理部５１は、１つの同報配信サービスに含まれる独立配信可能なデータ要素であるコンポーネントを異なる送信周波数で送信する通信制御を実行する。
図２を参照して説明したように、コンポーネント単位で選択された基地局を介して、特定のコンポーネントを特定エリアにのみ、コンポーネント対応の送信周波数で送信する。
また、データ処理部５１は、ユーザ端末２０からの要求に応じてメタデータを記憶部５３から読み出して通信部５２を介してユーザ端末２０に送信する。
【０１０６】
一方、ユーザ端末２０は、データ処理部７１、通信部７２、記憶部７３、入出力部７４を有する。
通信部７２は、データ送信装置１２から同報配信されるデータを、基地局１３を介して受信する。
データ処理部７１は同報配信データの復号、再生処理等を実行する。再生データは入出力部７４を介して出力される。
ユーザの指示コマンド、例えばサービスやコンポーネント選択指定コマンド等は入出力部７４を介して入力される。
【０１０７】
また、通信部７２は、同報配信サービスの構成データであり、ユーザ端末２０に独立配信可能なデータ要素であるコンポーネント単位の送信周波数情報を記録したメタデータ、すなわち図７、図８を参照して説明したメタデータをデータ送信装置１２から受信する。
データ処理部７１は、受信したメタデータに記録されたコンポーネント単位の送信周波数情報を適用して、該コンポーネントの受信を可能とするための受信周波数の設定を実行する。
【０１０８】
なお、コンポーネントは１つの同報配信サービスに含まれる独立配信可能なデータ要素である。メタデータは、先に図７、図８を参照して説明したように、１つの同報配信サービスに含まれる全てのコンポーネント各々に対応する送信周波数情報に加え、コンポーネント単位のアクセス情報と、コンポーネント単位の送信エリア情報を記録した構成である。
【０１０９】
なお、データ処理部７１は、例えば、受信予定の複数のコンポーネントが異なる周波数で送信されている場合は、メタデータに記録された複数のコンポーネントの異なる送信周波数情報を適用して、複数のコンポーネントの受信を可能とするための受信周波数の設定を実行する。
すなわち、１つの同報配信サービスに含まれる独立配信可能なデータ要素であるコンポーネントを異なる送信周波数で受信する通信制御を実行する。
【０１１０】
次に、図１２を参照して、データ送信装置１２、基地局１３、ユーザ端末２０の処理レイヤについて説明する。
【０１１１】
データ送信装置１２と、ユーザ端末２０は基地局１３を介した通信処理を実行する。
図１２には、データ送信装置１２と、基地局１３の実行する処理を１つのレイヤ構成にまとめて示している。データ送信装置１２は複数の基地局１３の制御を実行し、例えば選択した基地局から特定のコンポーネントを送信する処理などを実行する。
データ送信装置１２と基地局１３は、ユーザ端末２０とのデータの送受信においてと実行する複数の処理を分担して実行することが可能である。この処理の分担は様々な設定が可能であるため、図１２では、データ送信装置１２と基地局１３の処理を１つの処理レイヤとして示している。
【０１１２】
データ送信装置１２および基地局１３の処理レイヤは、以下のレイヤからなる。
アプリケーションレイヤ１１１、
ＲＲＣ／ＭＢＭＳレイヤ１１２、
ＲＬＣレイヤ１１３、
ＭＡＣレイヤ１１４、
ＰＨＹレイヤ１１５、
【０１１３】
アプリケーションレイヤ１１１は、例えば映像ストリームや音声ストリーム等の符号化処理や、これらの符号化データからなるコンポーネントを格納したパケットの生成処理等を行う。
ＲＲＣ／ＭＢＭＳレイヤ１１２は、ユーザ端末２０との通信設定処理、同報通信処理の通信制御等を行うレイヤである。ＲＲＣ（Ｒａｄｉｏ  Ｒｅｓｏｕｒｃｅ  Ｃｏｎｔｒｏｌ）レイヤ１１３は、例えばユーザ端末のハンドオーバ処理制御などを行う。ＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）レイヤは、主に同報通信制御を行う。
【０１１４】
ＲＬＣ（Ｒａｄｉｏ  Ｌｉｎｃ  Ｃｏｎｔｒｏｌ）レイヤ１１４は、ユーザ端末２０との通信処理における通信トラフィックの制御処理など実行するレイヤである。
ＭＡＣレイヤは、ユーザ通信端末２０との通信処理における通信スケジューリング処理、パケット多重化処理などを実行する。
ＰＨＹレイヤ１１５は、通信部等からなる物理レイヤであり、所定周波数でのコンポーネント単位のデータ送受信を実行する。
【０１１５】
次に、ユーザ端末２０の処理レイヤ構成について説明する。ユーザ端末２０も、データ送信装置１２および基地局１３の処理レイヤとほぼ同様のレイヤ構成を有し、以下のレイヤを有する。
アプリケーションレイヤ１２１、
ＲＲＣ／ＭＢＭＳレイヤ１２２、
ＲＬＣレイヤ１２３、
ＭＡＣレイヤ１２４、
ＰＨＹレイヤ１２５、
【０１１６】
アプリケーションレイヤ１２１は、例えば映像ストリームや音声ストリーム等の復号、再生処理や、これらの符号化データからなるコンポーネントを格納したパケットの解析処理等を行う。
ＲＲＣ／ＭＢＭＳレイヤ１２２は、データ送信装置１２や基地局１３との通信設定処理、同報通信処理の通信制御等を行うレイヤである。ＲＲＣ（Ｒａｄｉｏ  Ｒｅｓｏｕｒｃｅ  Ｃｏｎｔｒｏｌ）レイヤは、例えばユーザ端末のハンドオーバ処理制御などを行う。ＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）レイヤは、主に同報通信制御を行う。
【０１１７】
ＲＬＣ（Ｒａｄｉｏ  Ｌｉｎｃ  Ｃｏｎｔｒｏｌ）レイヤ１２３は、データ送信装置１２や基地局１３との通信処理における通信トラフィックの制御処理など実行するレイヤである。
ＭＡＣレイヤ１２４は、データ送信装置１２や基地局１３との通信処理における通信スケジューリング処理、パケット多重化処理などを実行する。
ＰＨＹレイヤ１２５は、通信部等からなる物理レイヤであり、所定周波数でのコンポーネント単位のデータ送受信を実行する。
【０１１８】
次に、先に図２を参照して説明したコンポーネントの配信構成における各セルの基地局単位の処理について、各基地局対応の処理レイヤと対応付けて説明する。
図２を参照して説明したコンポーネント配信構成には、大きく区分すると以下の３種類の異なる処理を実行する基地局が含まれる。
（Ａ）マクロセル５１内の基地局１３ａ〜１３ｃ、
（Ｂ）スモールセル６１内の基地曲１３ｐ、
（Ｃ）スモールセル６２内の基地曲１３ｑ、
【０１１９】
（Ａ）マクロセル５１内の基地局１３ａ〜１３ｃは、以下の２つのコンポーネントを送信する。
（１）第１コンポーネント
送信データ＝ベースレイヤ映像
送信エリア＝マクロセル５１内の全領域
送信周波数＝８００ＭＨｚ
（２）第２コンポーネント
送信データ＝日本語音声
送信エリア＝マクロセル５１内の全領域
送信周波数＝８００ＭＨｚ
【０１２０】
（Ｂ）第１スモールセル６１内の基地局１３ｐは、上記（１），（２）のコンポーネントに加え、さらに、以下のコンポーネントを送信する。
（３）第３コンポーネント
送信データ＝エンハンスメントレイヤ映像
送信エリア＝第１スモールセル６１内の領域
送信周波数＝１．５ＧＨｚ
【０１２１】
（Ｃ）第２スモールセル６２内の基地局１３ｑは、上記（１），（２）のコンポーネントに加え、さらに、以下のコンポーネントを送信する。
（４）第４コンポーネント
送信データ＝韓国語音声
送信エリア＝第２スモールセル６２内の領域
送信周波数＝１．５ＧＨｚ
【０１２２】
図１３は、マクロセル５１内の基地局１３ａ〜１３ｃ、または、マクロセル５１内の基地局１３ａ〜１３ｃの制御を実行するデータ送信装置１２のいずれかにおいて実行する処理をレイヤ別に説明する図である。
なお、処理レイヤは、先に図１２を参照して説明したレイヤと同様のレイヤ構成であり、上位から順に以下のレイヤ構成となっている。
ＲＲＣ／ＭＢＭＳレイヤ１１２、
ＲＬＣレイヤ１１３、
ＭＡＣレイヤ１１４、
ＰＨＹレイヤ１１５、
【０１２３】
マクロセル５１内の基地局１３ａ〜１３ｃは、
ベースレイヤ映像データ、
日本語音声データ、
これらのデータを送信する。
なお、図１３に示す処理レイヤ１１２〜１１５の各処理は、マクロセル５１内の基地局１３ａ〜１３ｃ、または、マクロセル５１内の基地局１３ａ〜１３ｃの制御を実行するデータ送信装置１２のいずれかにおいて実行される。
【０１２４】
ＲＲＣ／ＭＢＭＳレイヤ１１２は、前述したようにユーザ端末２０との通信設定処理、同報通信処理の通信制御等を行うレイヤである。ＲＲＣ（Ｒａｄｉｏ  Ｒｅｓｏｕｒｃｅ  Ｃｏｎｔｒｏｌ）レイヤは、例えばユーザ端末のハンドオーバ処理制御などを行う、ＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）レイヤは、主に同報通信制御を行う。
マクロセル５１内の基地局１３ａ〜１３ｃ、または、マクロセル５１内の基地局１３ａ〜１３ｃの制御を実行するデータ送信装置１２のいずれかは、
ベーシックレイヤの映像データ
日本語音声データ
これらの２つのデータストリームを個別に生成し、ユーザ端末２０に対する同報配信制御を行う、
【０１２５】
ＲＬＣ（Ｒａｄｉｏ  Ｌｉｎｃ  Ｃｏｎｔｒｏｌ）レイヤ１１３は、ユーザ端末２０との通信処理における通信トラフィックの制御処理など実行する。
ベーシックレイヤの映像データと、日本語音声データ各データストリームを遅延なく複数のユーザ端末２０に配信するための制御等を実行する。
【０１２６】
なお、図に示すＭＣＣＨはマルチキャスト制御チャネル（ＭＣＣＨ：Ｍｕｌｔｉｃａｓｔ  Ｃｏｎｔｒｏｌ  Ｃｈａｎｎｅｌ）である。
ＭＴＣＨは、マルチキャストトラフィックチャネル（ＭＴＣＨ：Ｍａｌｔｉｃａｓｔ  Ｔｒａｆｉｃ  Ｃｈａｎｎｅｌ）である。
図の線は、各チャネルを介したデータの流れを示している。
【０１２７】
ＭＡＣレイヤ１１４は、ユーザ通信端末２０との通信処理における通信スケジューリング処理、パケット多重化処理などを実行する。
図に示すＭＣＨはマルチキャストチャネル（ＭＣＨ：Ｍｕｌｔｉｃａｓｔ  Ｃｈａｎｎｅｌ）である。
【０１２８】
ＰＨＹレイヤ１１５は、通信部等からなる物理レイヤであり、所定周波数でのコンポーネント単位のデータ送受信を実行する。
ＰＭＣＨは、物理マルチキャストチャネル（ＰＭＣＨ：Ｐｈｙｓｉｃａｌ  Ｍｕｌｔｉｃａｓｔ  Ｃｈａｎｎｅｌ）である。
【０１２９】
図１４は、第１スモールセル６１内の基地局１３ｐ、または、第１スモールセル６１内の基地局１３ｐの制御を実行するデータ送信装置１２のいずれかにおいて実行する処理をレイヤ別に説明する図である。
なお、処理レイヤは、先に図１２を参照して説明したレイヤと同様のレイヤ構成であり、上位から順に以下のレイヤ構成となっている。
ＲＲＣ／ＭＢＭＳレイヤ１１２、
ＲＬＣレイヤ１１３、
ＭＡＣレイヤ１１４、
ＰＨＹレイヤ１１５、
【０１３０】
第１スモールセル６１内の基地局１３ｐは、マクロセル５１内の基地局１３ａ〜１３ｃと同様、
ベースレイヤ映像データ、
日本語音声データ、
これらのデータを送信し、さらに、
エンハンスメント映像データ、
を送信する。
【０１３１】
ベースレイヤ映像データと、日本語音声データの送信処理構成は、図１３に示す構成と同様であり、図１４には、追加送信データであるエンハンスメント映像データの送信処理に関連する処理レイヤを示している。、
ＲＲＣ／ＭＢＭＳレイヤ１１２〜ＰＨＹレイヤ１１４の処理レイヤ構成における処理は、図１３を参照して説明したと同様の処理となる。
【０１３２】
ただし、第１スモールセル６１内の基地局１３ｐは、
ベーシックレイヤの映像データ
日本語音声データ
これらの２つのデータストリームの他、
エンハンスメントレイヤの映像データ、
を配信する。
【０１３３】
従って、第１スモールセル６１内の基地局１３ｐ、または、第１スモールセル６１内の基地局１３ｐの制御を実行するデータ送信装置１２は、ＲＲＣ／ＭＢＭＳレイヤにおいて、エンハンスメントレイヤの映像データのデータストリームについても、同報配信制御を実行して、ユーザ端末２０に提供する処理を行う。
【０１３４】
図１５は、第２スモールセル６２内の基地局１３ｑ、または、第２スモールセル６２内の基地局１３ｑの制御を実行するデータ送信装置１２の実行する処理をレイヤ別に説明する図である。
なお、処理レイヤは、先に図１２を参照して説明したレイヤと同様のレイヤ構成であり、上位から順に以下のレイヤ構成となっている。
ＲＲＣ／ＭＢＭＳレイヤ１１２、
ＲＬＣレイヤ１１３、
ＭＡＣレイヤ１１４、
ＰＨＹレイヤ１１５、
第２スモールセル６２内の基地局１３ｑは、マクロセル５１内の基地局１３ａ〜１３ｃと同様、
ベースレイヤ映像データ、
日本語音声データ、
これらのデータを送信し、さらに、
韓国語音声データ、
を送信する。
【０１３５】
ベースレイヤ映像データと、日本語音声データの送信処理構成は、図１３に示す構成と同様であり、図１５には、追加送信データである韓国語音声データの送信処理に関連する処理レイヤを示している。、
ＲＲＣ／ＭＢＭＳレイヤ１１２〜ＰＨＹレイヤ１１４の処理レイヤ構成における処理は、図１３を参照して説明したと同様の処理となる。
【０１３６】
ただし、第２スモールセル６２内の基地局１３ｑは、
ベーシックレイヤの映像データ
日本語音声データ
これらの２つのデータストリームの他、
韓国語音声データ、
を配信する。
【０１３７】
従って、第２スモールセル６２内の基地局１３ｑ、または、第２スモールセル６２内の基地局１３ｑの制御を実行するデータ送信装置１２は、ＲＲＣ／ＭＢＭＳレイヤにおいて、韓国語音声データのデータストリームについても、同報配信制御を実行して、ユーザ端末２０に提供する処理を行う。
【０１３８】
［５．各装置のハードウェア構成例について］
最後に、図１６を参照して、上述した処理を実行する各装置のハードウェア構成例について説明する。
図１６は、データ送信装置１２、ユーザ端末２０として適用可能な通信装置のハードウェア構成例を示している。
【０１３９】
ＣＰＵ（Ｃｅｎｔｒａｌ  Ｐｒｏｃｅｓｓｉｎｇ  Ｕｎｉｔ）２０１は、ＲＯＭ（Ｒｅａｄ  Ｏｎｌｙ  Ｍｅｍｏｒｙ）２０２、または記憶部２０８に記憶されているプログラムに従って各種の処理を実行するデータ処理部として機能する。例えば、上述した実施例において説明したシーケンスに従った処理を実行する。ＲＡＭ（Ｒａｎｄｏｍ  Ａｃｃｅｓｓ  Ｍｅｍｏｒｙ）２０３には、ＣＰＵ２０１が実行するプログラムやデータなどが記憶される。これらのＣＰＵ２０１、ＲＯＭ２０２、およびＲＡＭ２０３は、バス２０４により相互に接続されている。
【０１４０】
ＣＰＵ２０１はバス２０４を介して入出力インタフェース２０５に接続され、入出力インタフェース２０５には、各種スイッチ、キーボード、マウス、マイクロホンなどよりなる入力部２０６、ディスプレイ、スピーカなどよりなる出力部２０７が接続されている。ＣＰＵ２０１は、入力部２０６から入力される指令に対応して各種の処理を実行し、処理結果を例えば出力部２０７に出力する。
【０１４１】
入出力インタフェース２０５に接続されている記憶部２０８は、例えばハードディスク等からなり、ＣＰＵ２０１が実行するプログラムや各種のデータを記憶する。通信部２０９は、各種の通信ネットワークを介したデータ通信の送受信部として機能し、外部の装置と通信する。
【０１４２】
入出力インタフェース２０５に接続されているドライブ２１０は、磁気ディスク、光ディスク、光磁気ディスク、あるいはメモリカード等の半導体メモリなどのリムーバブルメディア２１１を駆動し、データの記録あるいは読み取りを実行する。
【０１４３】
［６．本開示の構成のまとめ］
以上、特定の実施例を参照しながら、本開示の実施例について詳解してきた。しかしながら、本開示の要旨を逸脱しない範囲で当業者が実施例の修正や代用を成し得ることは自明である。すなわち、例示という形態で本発明を開示してきたのであり、限定的に解釈されるべきではない。本開示の要旨を判断するためには、特許請求の範囲の欄を参酌すべきである。
【０１４４】
なお、本明細書において開示した技術は、以下のような構成をとることができる。
（１）  同報配信サービスの構成データであり、ユーザ端末に独立配信可能なデータ要素であるコンポーネント単位の送信周波数情報を記録したメタデータを生成、または記憶部から取得するデータ処理部と、
前記メタデータをユーザ端末に送信する通信部を有する通信装置。
【０１４５】
（２）前記コンポーネントは、１つの同報配信サービスに含まれる独立配信可能なデータ要素であり、前記メタデータは、１つの同報配信サービスに含まれる全てのコンポーネント各々に対応する送信周波数情報を記録した構成である前記（１）に記載の通信装置。
【０１４６】
（３）前記データ処理部は、前記コンポーネント単位の送信周波数情報に加え、コンポーネント単位のアクセス情報と、コンポーネント単位の送信エリア情報を記録したメタデータを、前記通信部を介してユーザ端末に送信する前記（１）または（２）に記載の通信装置。
【０１４７】
（４）前記データ処理部は、１つの同報配信サービスに含まれる独立配信可能なデータ要素であるコンポーネントを異なる送信周波数で送信する通信制御を実行し、前記メタデータは、コンポーネントの送信周波数情報として、前記異なる送信周波数が記録された構成である前記（１）〜（３）いずれかに記載の通信装置。
【０１４８】
（５）前記通信装置は、前記メタデータを格納した記憶部を有し、前記データ処理部は、ユーザ端末からの要求に応じて前記メタデータを記憶部から読み出して前記通信部を介して前記ユーザ端末に送信する前記（１）〜（４）いずれかに記載の通信装置。
【０１４９】
（６）前記データ処理部は、コンポーネント単位で選択された基地局を介して、特定のコンポーネントを特定エリアにのみ、コンポーネント対応の送信周波数で送信する通信制御を実行する前記（１）〜（５）いずれかに記載の通信装置。
【０１５０】
（７）前記データ処理部は、映像データ、音声データ、字幕データの少なくともいずれかを含むコンテンツの同報配信サービスを実行し、前記コンポーネントは、前記コンテンツの同報配信サービスを構成するデータ要素である映像データ、または特定言語の音声データ、または特定言語の字幕データのいずれかである前記（１）〜（６）いずれかに記載の通信装置。
【０１５１】
（８）前記コンポーネントは、異なる解像度の画像再生を実現する異なる符号化画像データを含む前記（１）〜（７）いずれかに記載の通信装置。
【０１５２】
（９）  同報配信サービスの構成データであり、ユーザ端末に独立配信可能なデータ要素であるコンポーネント単位の送信周波数情報を記録したメタデータをデータ送信装置から受信する通信部と、
前記メタデータを適用した処理を実行するデータ処理部を有する通信装置。
【０１５３】
（１０）前記データ処理部は、前記メタデータに記録されたコンポーネント単位の送信周波数情報を適用して、該コンポーネントの受信を可能とするための受信周波数の設定を実行する前記（９）に記載の通信装置。
【０１５４】
（１１）前記コンポーネントは、１つの同報配信サービスに含まれる独立配信可能なデータ要素であり、前記メタデータは、１つの同報配信サービスに含まれる全てのコンポーネント各々に対応する送信周波数情報を記録した構成である前記（９）または（１０）に記載の通信装置。
【０１５５】
（１２）前記通信部は、前記コンポーネント単位の送信周波数情報に加え、コンポーネント単位のアクセス情報と、コンポーネント単位の送信エリア情報を記録したメタデータを前記データ送信装置から受信する前記（９）〜（１１）いずれかに記載の通信装置。
【０１５６】
（１３）前記データ処理部は、前記メタデータに記録された複数のコンポーネントの異なる送信周波数情報を適用して、複数のコンポーネントの受信を可能とするための受信周波数の設定を実行し、１つの同報配信サービスに含まれる独立配信可能なデータ要素であるコンポーネントを異なる送信周波数で受信する通信制御を実行する前記（９）〜（１２）いずれかに記載の通信装置。
【０１５７】
（１４）前記通信部は、コンポーネント単位で選択された基地局を介してコンポーネント対応の送信周波数で送信されるコンポーネントの受信処理を実行する前記（９）〜（１３）いずれかに記載の通信装置。
【０１５８】
（１５）前記コンポーネントは、コンテンツの同報配信サービスを構成するデータ要素である映像データ、または特定言語の音声データ、または特定言語の字幕データのいずれかである前記（９）〜（１４）いずれかに記載の通信装置。
【０１５９】
（１６）前記コンポーネントは、異なる解像度の画像再生を実現する異なる符号化画像データを含む前記（９）〜（１５）いずれかに記載の通信装置。
【０１６０】
（１７）データ送信装置において実行する通信制御データ送信方法であり、
データ処理部が、同報配信サービスの構成データであり、ユーザ端末に独立配信可能なデータ要素であるコンポーネント単位の送信周波数情報を記録したメタデータを生成、または記憶部から取得し、
通信部が、前記メタデータをユーザ端末に送信する通信制御データ送信方法。
【０１６１】
（１８）  データ受信装置において実行する通信制御データ受信方法あり、
通信部が、同報配信サービスの構成データであり、ユーザ端末に独立配信可能なデータ要素であるコンポーネント単位の送信周波数情報を記録したメタデータをデータ送信装置から受信し、
データ処理部が、前記メタデータを適用した処理を実行する通信制御データ受信方法。
【０１６２】
また、明細書中において説明した一連の処理はハードウェア、またはソフトウェア、あるいは両者の複合構成によって実行することが可能である。ソフトウェアによる処理を実行する場合は、処理シーケンスを記録したプログラムを、専用のハードウェアに組み込まれたコンピュータ内のメモリにインストールして実行させるか、あるいは、各種処理が実行可能な汎用コンピュータにプログラムをインストールして実行させることが可能である。例えば、プログラムは記録媒体に予め記録しておくことができる。記録媒体からコンピュータにインストールする他、ＬＡＮ（Ｌｏｃａｌ  Ａｒｅａ  Ｎｅｔｗｏｒｋ）、インターネットといったネットワークを介してプログラムを受信し、内蔵するハードディスク等の記録媒体にインストールすることができる。
【０１６３】
なお、明細書に記載された各種の処理は、記載に従って時系列に実行されるのみならず、処理を実行する装置の処理能力あるいは必要に応じて並列的にあるいは個別に実行されてもよい。また、本明細書においてシステムとは、複数の装置の論理的集合構成であり、各構成の装置が同一筐体内にあるものには限らない。
【産業上の利用可能性】
【０１６４】
以上、説明したように、本開示の一実施例の構成によれば、１つの同報配信サービスに含まれるデータ要素であるコンポーネント単位の送信周波数情報をユーザ端末に提供する。ユーザ端末はコンポーネント対応の受信設定が可能となり、確実に各コンポーネントを受信できる構成が実現される。
具体的には、データ送信装置が、同報配信サービスの構成データであり、ユーザ端末に独立配信可能なデータ要素であるコンポーネント単位、例えば特定解像度の画像データや特定言語の音声データや字幕データ等のコンポーネント単位の送信周波数情報を記録したメタデータをユーザ端末に送信する。受信装置であるユーザ端末は、データ送信装置から受信したメタデータに記録されたコンポーネント単位の送信周波数情報を適用して、受信予定のコンポーネントの受信を可能とするための受信周波数の設定処理を実行する。
本構成により、１つの同報配信サービスに含まれるデータ要素であるコンポーネント単位の送信周波数情報をユーザ端末に提供する。ユーザ端末はコンポーネント対応の受信設定が可能となり、確実に各コンポーネントを受信できる構成が実現される。
【符号の説明】
【０１６５】
１０  通信システム
１１  コンテンツプロバイダ
１２  データ送信装置
１３  基地局
２０  ユーザ端末
５１  データ処理部
５２  通信部
５３  記憶部
７１  データ処理部
７２  通信部
７３  記憶部
７４  入出力部
１１１  アプリケーションレイヤ
１１２  ＲＲＣ／ＭＢＭＳレイヤ
１１３  ＲＬＣレイヤ
１１４  ＭＡＣレイヤ
１１５  ＰＨＹレイヤ
１２１  アプリケーションレイヤ
１２２  ＲＲＣ／ＭＢＭＳレイヤ
１２３  ＲＬＣレイヤ
１２４  ＭＡＣレイヤ
１２５  ＰＨＹレイヤ
２０１  ＣＰＵ
２０２  ＲＯＭ
２０３  ＲＡＭ
２０４  バス
２０５  入出力インタフェース
２０６  入力部
２０７  出力部
２０８  記憶部
２０９  通信部
２１０  ドライブ
２１１  リムーバブルメディア
【図１】
2015133615.tif 000003
【図２】
2015133615.tif 000004
【図３】
2015133615.tif 000005
【図４】
2015133615.tif 000006
【図５】
2015133615.tif 000007
【図６】
2015133615.tif 000008
【図７】
2015133615.tif 000009
【図８】
2015133615.tif 000010
【図９】
2015133615.tif 000011
【図１０】
2015133615.tif 000012
【図１１】
2015133615.tif 000013
【図１２】
2015133615.tif 000014
【図１３】
2015133615.tif 000015
【図１４】
2015133615.tif 000016
【図１５】
2015133615.tif 000017
【図１６】
2015133615.tif 000018